(57)【要約】【課題】Ｘ線撮影した被検者の本人確認を確実にする。【解決手段】Ｘ線管装置１１が、天井レール２２により移動可能に取り付けられた保持装置２１によって保持され、Ｘ線高電圧装置１７から高電圧を与えられることによりＸ線を発生し、このＸ線がＸ線可動絞り装置１２を経て、撮影台２３に横たわっている被検者２４に向けて照射される。被検者２４を透過したＸ線は平面型Ｘ線検出器１３に入射し、そこで得られたＸ線画像データが画像処理装置１４に送られる。この画像処理装置１４には、可動Ｘ線絞り装置１２の側面に取り付けられたＣＣＤカメラ１５によって得られた被検者２４の顔の画像データがカメラコントローラ１６を経て送られてきており、これらＸ線画像データと顔の画像データとにより両画像を合成した１枚の画像を示す信号が作られ、この画像が画像表示装置１８によって表示される。【選択図】図１
2006087639.tif 000002
【特許請求の範囲】
【請求項１】
被検者のＸ線画像を撮影してＸ線画像データを得るＸ線撮影手段と、被検者の顔写真を撮影して顔の画像データを得る撮影手段と、上記Ｘ線画像データと顔の画像データとをリンクさせる手段と、リンクされた上記Ｘ線画像データと顔の画像データとを保管する手段とを備えることを特徴とするＸ線撮影装置。
【発明の詳細な説明】
【技術分野】
【０００１】
この発明は、医療的な診断に用いられるＸ線撮影装置に関し、とくに被検者の取り違えを防止する対策を施したＸ線撮影装置に関する。
【背景技術】
【０００２】
Ｘ線撮影装置において、撮影した被検者がだれであるかを特定することは非常に重要であり、被検者の取り違えが生じると重大な誤診につながる。そのため、従来では、術者が撮影を行う時に被検者の名前を聞き、撮影した画像に患者名やＩＤコードを付加するようにしている。また予約された被検者の場合には、名前を呼んで本人確認した後撮影し、その画像にあらかじめ知られている名前やＩＤコードを付加している。しかし、聞いた名前の入力ミスや、他人の名前が呼ばれたのに自分が呼ばれたと勘違いして撮影を受けてしまう者が生じることなどは避けることができない。
【０００３】
そこで、たとえば下記特許文献１のように、被検者の取り違えを防止する対策を施すことが考えられている。ここに述べられた装置は、基本的には、あらかじめ保管されていた患者情報（顔写真も含む）を撮影前に表示して患者自身に確認してもらった後、撮影を行うというものである。患者自身の確認の代わりに、ＣＣＤカメラで撮影装置の前に立った患者の顔写真を撮り、そのパターン解析をして保管されていた患者情報と一致するかどうかを自動的に判定するようにした装置についても述べられている。
【特許文献１】特開２００１−１７００１２号公報
【０００４】
しかしながら、上記特許文献１に示された従来のＸ線撮影装置では、患者の顔写真などを含む患者情報があらかじめ入力・保管されていなければ、患者の特定を行うことができないという根本的な問題がある。そのため、たとえば意識のない急患で、病院がその患者の情報をなんら持っていない場合などには、まったく役に立たない。
【発明の開示】
【発明が解決しようとする課題】
【０００５】
この発明の課題は、被検者を特定する情報がないような場合でも誤診につながるような被検者の取り違えが生じることがないように改善したＸ線撮影装置を提供することにある。
【課題を解決するための手段】
【０００６】
上記の目的を達成するため、この発明によるＸ線撮影装置においては、被検者のＸ線画像を撮影してＸ線画像データを得るＸ線撮影手段と、被検者の顔写真を撮影して顔の画像データを得る撮影手段と、上記Ｘ線画像データと顔の画像データとをリンクさせる手段と、リンクされた上記Ｘ線画像データと顔の画像データとを保管する手段とが備えられることが特徴となっている。
【０００７】
ここで、Ｘ線画像データの一部に顔の画像データをはめ込むよう画像処理することによって、Ｘ線画像データと顔の画像データとをリンクさせるようにしてもよい。
【０００８】
また、Ｘ線画像データと顔の画像データとをリンクさせるリンク情報を別個生成しておくことでもよい。
【０００９】
さらに、保管手段は、上記のように画像処理によって一体となった画像データを保管するようにしてもよいし、Ｘ線画像データと顔の画像データとリンク情報とを保管するようにしてもよい。画像処理によってＸ線画像データと顔の画像データとを一体化した画像データは、電子的に保管するだけでなく、イメージャなどを用いてフィルムに印刷するなどし、ハードコピーとして保管することもできる。
【発明の効果】
【００１０】
被検者のＸ線画像を撮影する際、その被検者の顔写真も撮影される。そして、そのＸ線画像データと顔の画像データとがリンクさせられて保管される。そのため、Ｘ線画像データを後に取り出して表示観察し、診断を行う際、顔の画像も見ることができ、名前などが誤入力されていたような場合でも被検者の取り違えが生じることはなく、その顔を持つ被検者についての診断を行うことができるので、誤診につながるおそれもない。つまり、たとえば、患者に診察室に来てもらってＸ線画像を見ながら診断を行う際、かりに誤った名前でＸ線画像の撮影が行われていて、その誤った名前で呼ばれた人が診察室に来ていたとしても、顔写真を見ればそのことがすぐにわかるので、患者の取り違えは生じることはない。名前のわからない急患の場合でも、顔写真と実際の顔とを照合することにより被検者の特定が可能である。
【発明を実施するための最良の形態】
【００１１】
つぎに、この発明を実施したＸ線撮影装置について図面を参照して説明する。
【実施例】
【００１２】
図１に示すように、この発明の実施例にかかるＸ線撮影装置では、キャビネット１９などに収められたＸ線高電圧装置１７よりＸ線管装置１１に高電圧が与えられるようになっている。このＸ線管装置１１からＸ線可動絞り装置１２を経て被検者２４に向けてＸ線を照射し、被検者２４を透過したＸ線を平面型Ｘ線検出器１３で受け、Ｘ線画像信号を得る。この平面型Ｘ線検出器１３は、入射したＸ線を電気信号に変換する半導体Ｘ線検出器を多数平面状に並べたものであるが、従来より普及しているイメージインテンシファイアとＸ線ＴＶカメラとを組み合わせてＸ線画像を得るものなどを用いることもできる。
【００１３】
平面型Ｘ線検出器１３からのＸ線画像信号はキャビネット１９などに収められた画像処理装置１４に送られる。また、ＣＣＤカメラ１５が被検者２４の顔を撮影するのに適当な位置、たとえばここではＸ線絞り装置１２の側面に取り付けられている。このＣＣＤカメラ１５で被検者２４の顔写真を撮影し、その画像信号をカメラコントローラ１６から画像処理装置１４に送る。
【００１４】
画像処理装置１４では、これら２つの画像信号をリンクさせ、図２に示すように、Ｘ線画像３１とその隅に顔画像３２を貼り付けた１枚の画像を合成する。ここでは、この１枚の画像に図２に示すように被検者の名前やＩＤコードなどの文字情報３３も合成されている。こうして合成された画像はたとえばキャビネット１９上の画像表示装置（たとえば液晶表示装置）１８などで表示される。この画像データは図では示していないがハードディスク記録装置などの記録装置に保存される。
【００１５】
この実施例では、Ｘ線管装置１１およびＸ線可動絞り装置１２は、天井レール２２に移動可能に取り付けられた保持装置２１によって保持されている。また、被検者２４は撮影台２３に横たえられている。
【００１６】
術者は、被検者１４のＸ線撮影を行う際に、まず被検者２４の顔をＣＣＤカメラ１５により撮影し、その顔の画像信号をカメラコントローラ１６を経て画像処理装置１４に入力させる。つぎに術者は被検者２４の関心部位に対してＸ線撮影を行う。Ｘ線高電圧装置１７からＸ線管装置１１に高電圧が加えられて被写体２４に向けてＸ線照射され、被写体２４を透過したＸ線による画像が平面型Ｘ線検出器１３により撮影され、そこで得られたＸ線画像信号が画像処理装置１４に送られる。このときＸ線高電圧装置１７からの高電圧の発生を示す信号が画像処理装置１４に入力されており、これによって画像信号の取り込みタイミングが定められているため、平面型Ｘ線検出器１３からの画像信号の取り込みをＸ線照射に対応させることができる。
【００１７】
画像処理装置１４により図２のように合成された１枚の画像が画像表示装置１８に表示されるとともに図示しないハードディスク装置などに記録される。図２に示すようにＸ線画像３１には必ず顔画像３２が付着しているため、その顔を持った被検者２４のＸ線画像３１であることが示される。名前やＩＤコードなどが間違えていたとしても、被検者２４の実際の顔と顔画像３２とを照合すれば、人違いなどは生じるおそれがない。たとえば、後に患者名により患者を診断室に呼び出し、このＸ線画像３１を見ながら患者に対して診断を行っていくような場合、診断室に現れた患者の顔とこの顔画像３２とを比較すれば、被検者２４の取り違えが生じているかどうかはただちにわかる。また、名前などのわからない被検者２４についても、その顔の画像３２がＸ線画像３１にリンクされて表示・保管されることとなるので、本人確認が可能である。
【００１８】
なお、この実施例ではＸ線画像３１と顔画像３２とを１枚の画像として合成しているが、両画像データをリンクさせる情報を生成・保存しておいて、Ｘ線画像３１の読み出し時に同時にそのリンク情報に基づき顔画像３２を読み出し、両画像を図２に示すような形式で表示するようにもできる。また、画像の保存は電子的なデータとしてハードディスク装置などに保管するだけでなく、図２のように合成された１枚の画像をイメージャを用いてフィルムに印刷するなどしてハードコピーを作り、これを保管するようにしてもよい。
【００１９】
また、被検者２４の顔写真を撮影する撮影手段としてここではＣＣＤカメラ１５を用いているが、他の撮像素子を用いたデジタルカメラ等を使用することもできる。さらにそのＣＣＤカメラ１５等の取り付け位置はＸ線可動絞り装置１２の側面に限らず、被検者２４の顔写真を写すのに都合のよい位置に取り付けられていればよい。この実施例では、Ｘ線管装置１１は天井走行型保持装置２１により保持され被検者２４は検査台２３に横たわってＸ線撮影されるが、このような構成に限定されるわけではなく、立位型のＸ線撮影装置や、Ｃ型アームの両端にＸ線管装置とＸ線撮像装置とを取り付けたいわゆるＣアーム型Ｘ線撮影装置などにも適用できる。それら他の形式のＸ線撮影装置において、顔写真撮影用のカメラは、その装置において被検者の顔写真を写すのに最も適した位置に配置される。
【産業上の利用可能性】
【００２０】
この発明にかかるＸ線撮影装置によれば、被検者のＸ線画像ととともにその被検者の顔写真も撮影され、そのＸ線画像データと顔の画像データとがリンクさせられて保管されるので、その被検者の顔の画像に基づいて被検者の同一性を確認できるため、名前などが誤入力されていたような場合でも被検者の取り違えが生じることはなく、誤診につながるおそれも解消できる。
【図面の簡単な説明】
【００２１】
【図１】この発明の一実施例にかかるＸ線撮影装置のブロック図。
【図２】合成された画像の一例を示す図。
【符号の説明】
【００２２】
１１            Ｘ線管装置
１２            Ｘ線可動絞り装置
１３            平面型Ｘ線検出器
１４            画像処理装置
１５            ＣＣＤカメラ
１６            カメラコントローラ
１７            Ｘ線高電圧装置
１８            画像表示装置
１９            キャビネット
２１            保持装置
２２            天井レール
２３            撮影台
２４            被検者
３１            Ｘ線画像
３２            顔画像
３３            文字情報
【図１】
2006087639.tif 000003
【図２】
2006087639.tif 000004